【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
目の表面と接触し前記目の外側部分を分離するように構成された遠位端部分を有し、イオン電荷を有する薬剤を含むように構成されたリザーバを画定する、ハウジングと、
前記ハウジングに結合され、前記薬剤を前記リザーバから前記目の中の標的領域へと運搬するのに十分な電荷を生成するように構成された、電極と
を備える、装置。
【請求項２】
フィードバックモジュールと作動モジュールとを含むコントローラをさらに備え、前記フィードバックモジュールは、少なくとも部分的にハードウェア内に実装され、センサを含み、前記センサは、前記電極の前記電荷、前記リザーバ内の前記薬剤のレベル、または薬剤送達深さを示す信号のうちの少なくとも１つを検出するように構成され、前記作動モジュールは、前記薬剤が前記リザーバから運搬されるように前記電荷を調整するように前記電極に信号を送信するように構成される、請求項１に記載の装置。
【請求項３】
前記薬剤を所定範囲内の薬剤送達深さに運搬するように前記電荷を調整するように構成されたコントローラをさらに備える、請求項１に記載の装置。
【請求項４】
前記所定範囲は、約９００μｍから約１１００μｍの間である、請求項３に記載の装置。
【請求項５】
目の表面と接触するように構成された遠位端部分を有し、イオン電荷を有する薬剤を含むように構成されたリザーバを画定する、ハウジングと、
前記ハウジングに結合され、前記ハウジングの前記遠位端部分が中を通って配置される第１の経路を画定するように前記目の外側部分を分離するように構成された、接触部材と、
前記ハウジングに結合され、前記薬剤を前記リザーバから前記目の前記外側部分の下の第２の経路を通して前記目の中の標的領域に運搬するのに十分な電荷を生成するように構成された、電極と
を備える、装置。
【請求項６】
目の表面と接触するように構成された遠位端部分を有し、イオン電荷を有する薬剤を含むように構成されたリザーバを画定する、ハウジングと、
前記ハウジングに結合され、前記薬剤を前記リザーバから前記目の中の標的領域へと運搬するのに十分な電荷を生成するように構成された、電極と、
前記薬剤を所定範囲内の薬剤送達深さに運搬するように前記電荷を調整するように構成された、コントローラと
を備える、装置。
【請求項７】
前記コントローラはフィードバックモジュールと作動モジュールとを含み、前記フィードバックモジュールは、少なくとも部分的にハードウェア内に実装され、センサを含み、前記センサは、前記ハウジングの前記遠位端部分の位置、前記リザーバ内の前記薬剤のレベル、または薬剤送達深さを示す信号のうちの少なくとも１つを検出するように構成され、前記作動モジュールは、前記薬剤が前記リザーバから運搬されるように前記電荷を調整するように前記電極に信号を送信するように構成される、請求項６に記載の装置。
【請求項８】
前記所定範囲は、約９００μｍから約１１００μｍの間である、請求項６に記載の装置。
【請求項９】
前記ハウジングに結合され、前記ハウジングの前記遠位端部分が中を通って配置される第１の経路を画定するように前記目の外側部分を分離するように構成された、接触部材と、前記薬剤を前記リザーバから前記目の前記外側部分の下の第２の経路を通して前記目の中の標的領域に運搬するのに十分な電荷を生成するように構成された、電極とをさらに備える、請求項１に記載の装置。
【請求項１０】
前記リザーバが前記電極を含む、請求項１に記載の装置。
【請求項１１】
前記薬剤が、前記リザーバ内に配置された担体であって、イオン電荷を有する担体内に包まれている、請求項１に記載の装置。
【請求項１２】
前記リザーバの内壁が、前記薬剤の前記イオン電荷と反対のイオン電荷を有する、請求項１に記載の装置。
【請求項１３】
前記医薬が前記リザーバからはじき出されるように、前記リザーバのイオン電荷が前記薬剤の前記電荷と一致するように変化するように構成される、請求項１に記載の装置。
【請求項１４】
前記ハウジングの前記遠位端部分が、前記リザーバに流体連通しているチャネルを画定し、前記チャネルの内壁は、前記医薬がそこを通って前記標的領域へと運搬される開口を画定し、前記装置は、
前記開口を覆う膜であって、前記膜のイオン電荷が前記薬剤の前記イオン電荷と同様の場合、前記膜がそこを通過するのを制限し、前記膜のイオン電荷が前記薬剤の前記イオン電荷と異なる場合、前記薬剤がそこを通過し得るようにイオン電荷を有する膜、
前記膜の前記イオン電荷を生成するように構成された電極
をさらに備える、請求項１に記載の装置。
【請求項１５】
前記ハウジングの前記遠位端部分に移動可能に結合され、前記ハウジングの前記遠位端部分が中を通って配置される第１の経路を画定するように前記目の外側部分を分離するように構成された、接触部材をさらに備える、請求項１に記載の装置。
【請求項１６】
前記接触部材は、前記接触部材が前記目の外側部分と接触し始めるように構成された第１位置と、前記接触部材が前記第１の経路を画定するように前記目の外側部分を分離するように構成された第２位置との間の前記ハウジングに移動可能に結合されている、請求項５に記載の装置。
【請求項１７】
前記接触部材は、前記第１の経路を画定するように前記目の前記外側部分の切断または動かすことのうちの少なくとも１つをするように構成された鋭いエッジまたはブレードのうちの少なくとも１つを含む、請求項５に記載の装置。
【請求項１８】
フィードバックモジュールと作動モジュールとを含むコントローラをさらに備え、前記フィードバックモジュールは少なくとも一部分ハードウェア内に実装され、センサを含み、前記センサは、前記電極の前記電荷、前記リザーバ内の前記薬剤のレベルまたは薬剤送達深さを示す信号のうちの少なくとも１つを検出するように構成されており、前記作動モジュールは、前記薬剤が前記リザーバから運搬されるように前記電荷を調整するように前記電極に信号を送信するように構成されている、請求項５に記載の装置。
【請求項１９】
前記薬剤を、約９００μｍから約１１００μｍの間の所定範囲内の薬剤送達深さに運搬するように前記電荷を調整するように構成された、コントローラをさらに備える、請求項５に記載の装置。
【請求項２０】
前記リザーバの前記内壁が、前記薬剤の前記イオン電荷と反対のイオン電荷を有する、請求項５に記載の装置。
【請求項２１】
前記ハウジングの前記遠位端部分が、前記リザーバに流体連通しているチャネルを画定し、前記チャネルの内壁は、前記医薬がそこを通って前記標的領域へと運搬される開口を画定し、前記装置は、
前記開口を覆う膜であって、前記膜のイオン電荷が前記薬剤の前記イオン電荷と同様の場合、前記膜がそこを通過するのを制限し、前記膜のイオン電荷が前記薬剤の前記イオン電荷と異なる場合、前記薬剤がそこを通過し得るようにイオン電荷を有する膜、前記膜の前記膜の前記イオン電荷を生成するように構成された電極
をさらに備える、請求項５に記載の装置。
【請求項２２】
前記ハウジングに結合され、前記ハウジングの前記遠位端部分が中を通って配置される第１の経路を画定するように前記目の外側部分を分離するように構成された、接触部材と、前記薬剤を前記リザーバから前記目の前記外側部分の下の第２の経路を通して前記目の中の標的領域に運搬するのに十分な電荷を生成するように構成された、電極とをさらに備える、請求項６に記載の装置。
【請求項２３】
前記薬剤が、前記リザーバ内に配置された担体であって、イオン電荷を有する担体内に包まれる、請求項６に記載の装置。
【請求項２４】
前記ハウジングの前記遠位端部分が、前記リザーバに流体連通しているチャネルを画定し、前記チャネルの内壁は、前記医薬がそこを通って前記標的領域へと運搬される開口を画定し、前記装置は、
前記開口を覆う膜であって、前記膜のイオン電荷が前記薬剤の前記イオン電荷と同様の場合、前記膜がそこを通過するのを制限し、前記膜のイオン電荷が前記薬剤の前記イオン電荷と異なる場合、前記薬剤がそこを通過し得るようにイオン電荷を有する膜、前記膜の前記膜の前記イオン電荷を生成するように構成された電極
をさらに備える、請求項６に記載の装置。